(57)【要約】【課題】発射装置を構成する発射駆動手段が落下遊技球により傷付けられるのを防止して、リサイクルし易くすることである。【解決手段】球を発射させる発射装置Ａを備えた遊技機において、前記発射装置Ａを構成していて、遊技機の背面側に突出して配置された発射モータ１’は、カバー２１によって、少なくともその上面及び両側面が覆われている構成とする。【選択図】　　　　図１３
2004057796.tif 000002
【特許請求の範囲】
【請求項１】
球を発射させる発射装置を備えた遊技機において、前記発射装置を構成していて、遊技機の背面側に突出して配置された発射駆動手段は、カバーによって、少なくともその上面及び両側面が覆われていることを特徴とする遊技機。
【請求項２】
前記カバーには、スリット状の放熱孔が設けられていることを特徴とする請求項１に記載の遊技機。
【請求項３】
前記カバーは、不透明な材質で構成されていることを特徴とする請求項１又は２に記載の遊技機。
【発明の詳細な説明】
【０００１】
【発明の属する技術分野】
本発明は、発射駆動手段のリサイクル（再利用）に対処可能な発射装置を備えた遊技機に関するものである。
【０００２】
【従来の技術】
例えば、パチンコ機の流行遅れ、陳腐化等により、パチンコ機が廃棄処分される場合において、遊技内容を左右する遊技盤を直接に構成していなくて、しかも外側に現れない各種部品、例えば、外枠、発射モータ等は、リサイクル（再使用）可能であって、これを残して、新規のパチンコ機に組み込む場合がある。
【０００３】
上記発射モータに関しては、その寿命は長いものであり、しかもパチンコ機の外側には、全く現れないために、リサイクルされ得るものである。しかし、この発射モータ１は、図２に示されるように、パチンコ機の最下部の背面において後方に突出した状態で配置されている。一方、パチンコ機に遊技球を供給する島設備の球供給部、及びこの球供給部から遊技球を受け入れて、払出し装置４１に遊技球を供給する球タンク４２やタンクレール４３等は、前記発射モータ１のほぼ直上に配置されている。
【０００４】
このため、球供給部を構成する球タンク４２及びタンクレール４３から落下した遊技球が発射モータに当たることがあり、これにより発射モータ１の表面に凹部や擦り傷等が付けられることがある。また、発射モータ１に対する遊技球の衝突速度が大きい場合には、発射モータ１に故障を来すこともある。また、パチンコ機は、前記球タンク４２やタンクレール４３が前方に開閉可能な前枠の上部に一体に設けられており、この前枠の開閉動作が原因となって、前記部分から遊技球が落下することがある。
【０００５】
遊技球の落下により表面に擦り傷等が発生した発射モータは、その機能は問題ないとしても、外観からしてリサイクルに適さない。
【０００６】
【発明が解決しようとする課題】
本発明は、発射装置を構成する発射駆動手段が落下遊技球により傷付けられるのを防止して、リサイクルし易くすることを課題としている。
【０００７】
【課題を解決するための手段】
上記課題を解決するための請求項１の発明は、球を発射させる発射装置を備えた遊技機において、前記発射装置を構成していて、遊技機の背面側に突出して配置された発射駆動手段は、カバーによって、少なくともその上面及び両側面が覆われていることを特徴としている。
【０００８】
請求項１の発明によれば、発射駆動手段は、カバーによって、少なくともその上面及び両側面が覆われているために、発射駆動手段の表面は、落下遊技球から保護されて、擦り傷等が付けられなくなると共に、室内の塵類が付着して堆積するのを抑制できる。よって、発射駆動手段のリサイクル時においても、その表面は、新品同様の外観を有していて、その見栄えがよいので、リサイクルし易くなる。
【０００９】
また、請求項２の発明は、請求項１の発明において、前記カバーには、スリット状の放熱孔が設けられていることを特徴としている。
【００１０】
請求項２の発明によれば、請求項１の発明の上記作用効果に加えて、発射駆動手段の放熱性が良好となって、その過熱が防止され、ひいては寿命が長くなる。
【００１１】
また、請求項３の発明は、請求項１又は２の発明において、前記カバーは、不透明な材質で構成されていることを特徴としている。
【００１２】
請求項３の発明によれば、請求項１又は２の発明の上記作用効果に加えて、自然光、或いは室内蛍光灯の影響を低減させられるため、これらの影響による表面色の退色を防止できて、長期間に亘って表面の原色を維持できる。このため、リサイクルが一層し易くなる。
【００１３】
【発明の実施の形態】
以下、実施例を挙げて本発明を更に詳細に説明する。図１は、遊技機を構成する発射装置Ａ及び球供給装置Ｂの正面図であり、図２は、遊技機を背面側から見た全体斜視図であり、図３は、遊技機の発射装置Ａ及び球供給装置Ｂの部分を背面側から見た斜視図であり、図４は、同様の部分を背面側の異なる方向から見た斜視図であり、図５は、発射モータ１のベース板１ｂに逆転防止部材Ｅが取付けられた状態を示す斜視図である。また、図６ないし図１２は、発射装置Ａの作用を示す図であって、図６ないし図９は、それぞれ発射モータカム２が基準位置Ｐ０　、球供給準備開始位置Ｐ２　、発射位置Ｐ３　及び無用球供給開始位置Ｐ４　に位置している状態の発射装置Ａ及び球供給装置Ｂの背面図であり、図１０は、無用球が供給されて「２個打ち」が発生する範囲において発射モータカム２の逆転が防止されている状態を示す発射装置Ａ及び球供給装置Ｂの背面図であり、図１１（イ），（ロ）は、それぞれ球供給片９の球受け部９ｃに球Ｒ’が保持されている状態、及び球受け部９ｃが上昇して、球Ｒ’が発射レール４に供給される状態を示す図であり、図１２は、発射モータカム２の回転角度に応じて発生する異なる状態を示す図である。なお、本明細書においては、背面視において、各部材が時計回りの方向に回転することを「正転」と定める。
【００１４】
図３及び図４に示されるように、遊技機の背面側には、発射装置Ａが配設されている。図３及び図４に示されるように、発射モータ１のモータ軸１ａ（図６参照）に雲形状の発射モータカム２が装着されている。発射モータカム２の正転時において、そのカム面の終端部分２ａがモータ軸１ａのほぼ直下に配置されたときの発射モータカム２の位置を、基準位置Ｐ０　と定義する（図６参照）。このとき、発射モータカム２の回転角度θは０°である。前記発射モータカム２に近接して、槌３が配設されている。この槌３は、発射レール４上に待機している遊技球Ｒを打って発射させるためのものであって、前記槌３の回動支点Ｃ１　に近い部分にほぼ直交して設けられたローラ取付部材１０の先端部にローラ５が取付けられている。そして、発射モータカム２が回転すると、そのカム面と前記槌３に対して一体に取付けられた前記ローラ５とが当接する。このため、発射モータカム２が連続回転することにより、該槌３が、その回動支点Ｃ１　を中心に連続して往復回動する。この槌３には、遊技球Ｒを打つ方向に付勢する引張りばね６が取付けられていて、該槌３は、前記引張りばね６の作用により弾発回動する。
【００１５】
また、図４及び図６に示されるように、前記発射レール４に待機している遊技球Ｒは、隣接する球供給カセット７に取付けられた球供給レール８から供給される。即ち、前記球供給レール８に配置された多数の球Ｒ’が、球供給片９のストッパ部９ａに当接してせき止められている。そして、前記球供給片９の作用（後述）により、最前の球Ｒ’が、球供給カセット７の供給口７ａから発射レール４に供給される。なお、図１において、１１は、発射レール４に供給された遊技球Ｒを落下させないようにするための落下防止ストッパであり、１２は、操作ハンドルである。
【００１６】
また、図６及び図７に示されるように、発射モータカム２が正転し、その回転角度θが当接開始位置Ｐ１　（θ１　≒１４．２°）に達すると、前記発射モータカム２と槌３のローラ５とが当接し、前記槌３が、引張りばね６の弾性復元力に抗して反時計回りに回動する。その状態の発射モータカム２を、図６において二点鎖線で示す。更に発射モータカム２が正転すると、図７に示されるように、槌３に取付けられた球供給針金１３によって、球供給アーム１４が、その回動支点Ｃ２　を中心に時計回りに回動する。その結果、該球供給アーム１４の重り押し片１４ａが、その直上に配設された球供給片９の重り９ｂを押し上げるため、前記球供給片９が、その回動支点Ｃ３　を中心に時計回りに回動する。
【００１７】
また、図７及び図１２に示されるように、発射モータカム２の回転角度θが球供給準備開始位置Ｐ２　（θ２　≒２００．９°）に達すると、球供給片９のストッパ部９ａが更に降下して球Ｒ’との当接が解放され、球供給レール８に配置されている先頭の球Ｒ’が、前記球供給片９の球受け部９ｃに進入して、保持される。槌３は、引張りばね６の弾性復元力に抗して、引き続いて、発射レール４の遊技球Ｒから離隔される方向（反時計回り）に回動する。このように、球供給装置Ｂは、発射装置Ａと連動して作動する。
【００１８】
図８及び図１２に示されるように、発射モータカム２の回転角度θが、遊技球Ｒの発射位置Ｐ３　（θ３　≒２９０．３°）を超えると、発射モータカム２と槌３のローラ５との当接が解放され、該槌３は引張りばね６の弾性復元力によって時計回りに急速に弾発回動し、発射レール４に待機されている遊技球Ｒが打たれる。同時に、球供給針金１３が、槌３と共に時計回りに回動する。このため、球供給アーム１４が、その回動支点Ｃ２　を中心に反時計回りに回動すると共に、球供給片９が、その回動支点Ｃ３　を中心に反時計回りに回動する。前記球供給片９は、前記槌３よりも僅かに遅れて回動する。
【００１９】
このときの球供給片９の作用について説明する。上記したように、発射モータカム２の回転角度θが、球供給準備開始位置Ｐ２　を超えている場合、発射レール４には遊技球Ｒが待機していると共に、球供給準備開始位置Ｐ２　を超えてしばらくすると、球供給片９の球受け部９ｃには球Ｒ’が保持される。即ち、図１１に示されるように、球供給片９の球受け部９ｃは、球供給カセット７の供給口７ａの側に向かって傾斜されている。前記球受け部９ｃが、球Ｒ’を保持した状態で降下している場合、球Ｒ’は、供給口７ａにおける球供給カセット７の下側の衝立面７ｂの上縁部に当接している。このため、球Ｒ’が球受け部９ｃに保持される。球供給片９が反時計回りに回動し、前記球受け部９ｃが上昇すると、球受け部９ｃと球供給カセット７の下側の衝立面７ｂの上縁部が同レベルに達し、球Ｒ’と衝立面７ｂの上縁部との当接が解放される。球受け部９ｃが傾斜しているため、該球Ｒ’は転動して供給口７ａを通過し発射レール４に供給される。そして、該球Ｒ’が、次の遊技球Ｒとなって発射レール４上に待機する。発射モータカム２が１回転して基準位置Ｐ０　に達すると、再び上記した作用が繰り返され、遊技球Ｒが連続して１個ずつ打たれる。
【００２０】
また、前記発射装置Ａは、発射モータカム２の逆転を防止する逆転防止部材Ｅを備えている。そして、前記発射モータカム２の近傍には、発射レール４に供給された遊技球Ｒを打つための槌３が、回動可能にして配設されている。発射装置Ａの上方には、球供給装置Ｂが配設されており、該球供給装置Ｂは、前記発射装置Ａに連動して作動する。
【００２１】
次に、図３ないし図６を参照にして、発射モータ１のモータ軸１ａに取付けられる発射モータカム２、及びこの発射モータカム２の逆転を防止する逆転防止部材Ｅについて詳細に説明する。雲形状をした発射モータカム２の裏面側には、背面から見て発射モータ１のモータ軸１ａが時計方向には自由に回転し得る形状のラチェット歯車１５が一体に取付けられている。また、逆転防止部材Ｅは、前記ラチェット歯車１５の逆転を防止する部材であって、その全体形状は、前記ラチェット歯車１５の廻りを囲み得る弧状形状、即ち「釣り針状」をなしていて、その基端部（取付状態において斜上端部）のボス部１６には、支持ピン１７を挿通するための挿通孔１６ａ（図３参照）が設けられている。また、逆転防止部材Ｅの先端部のわん曲した部分の内周面に、前記ラチェット歯車１５と係合する係合爪１８が形成されている。
【００２２】
また、発射モータ１には、正方形状をしたベース板１ｂが一体に設けられていて、その四隅部には、それぞれねじ孔１ｃが設けられている。そして、前記逆転防止部材Ｅは、前記ベース板１ｂの上側の一方の隅部に設けられたねじ孔１ｃを利用して、該ベース板１ｂに対して回動可能に支持されている。即ち、逆転防止部材Ｅの基端部のボス部１６に設けられた挿通孔１６ａと、前記ベース板１ｂの上側の一方の隅部に設けられたねじ孔１ｃとに、支持ピン１７が挿通されて、逆転防止部材Ｅは、発射モータ１のベース板１ｂに対して支持ピン１７を介して回動可能に支持されている。
【００２３】
このようにして、逆転防止部材Ｅが発射モータ１のベース板１ｂに支持された状態では、その先端部のわん曲した部分は、モータ軸１ａに一体に取付けられた発射モータカム２のラチェット歯車１５の周囲を囲んだ状態となっていると共に、前記逆転防止部材Ｅは、その自重によりラチェット歯車１５に対して当接している。即ち、逆転防止部材Ｅの係合爪１８と、発射モータカム２に一体に取付けられたラチェット歯車１５とが係合（噛合）した状態では、発射モータカム２は、正転はするが、逆転はしない「ラチェット構造」となる。このため、遊技機の輸送時等において振動が作用しても、ラチェット歯車１５に対して逆転防止部材Ｅが外れなくなると共に、逆転防止部材Ｅの係合爪１８とラチェット歯車１５との係合が確実となって、作動不良が生じなくなる。そして、逆転防止部材Ｅの上部内側に形成された係合爪１８が、その自重によってラチェット歯車１５と係合可能になっている。本実施形態では、ラチェット歯車１５には、全周に歯部が形成されているので、発射モータカム２の任意の回転角度位置において、その逆転が防止される構成となる。
【００２４】
次に、図１２を参照しながら、発射モータカム２の逆転防止作用について説明する。図６ないし図８に示されるように、発射モータカム２は、正転の場合には、これに一体に取付けられたラチェット歯車１５と逆転防止部材Ｅの係合爪１８とは係合しない。このため、連続回転する発射モータカム２と槌３のローラ５とが当接し、該槌３が引張りばね６の弾性復元力に抗して反時計回りに回動する。発射モータカム２の回転角度θが、球供給準備開始位置Ｐ２　（θ２　≒２００．９°）に達すると、球供給レール８に配置されている球Ｒ’が、球供給片９の球受け部９ｃに進入して、保持される。更に発射モータカム２が回転し、その回転角度θが発射位置Ｐ３　（θ＝θ３　≒２９０．３°）を超えると、発射モータカム２とローラ５との当接が解放され、引張りばね６の復元力によって、槌３が時計回りに急速に弾発回動し、発射レール４に待機している遊技球Ｒが打たれる。そして、その直後に、球供給片９の球受け部９ｃに保持されている球Ｒ’が発射レール４に供給され、次の遊技球Ｒとなって待機する。
【００２５】
次に、発射装置Ａを、２個打ち発生範囲（球供給準備開始位置Ｐ２　から発射位置Ｐ３　の間）で停止させた場合について説明する。この場合、発射モータカム２の回転角度θは、〔２００．　９°＜θ５　＜２９０．３°〕であって、槌３に取付けられた引張りばね６の弾性復元力により、発射モータカム２に対してこれを逆回転させるトルク（回転力）が作用するが、発射モータカム２が逆転しようとする瞬間に、図１０に示されるように、発射モータカム２に一体に取付けられたラチェット歯車１５と逆転防止部材Ｅの係合爪１８とが係合して、前記発射モータカム２は、その位置で停止する。よって、発射モータカム２の逆転が防止される。この結果、球供給片９の球受け部９ｃに進入して保持されている球（無用球）Ｒ’が発射レール４に供給されることがなくなって、「２個打ち」が防止される。
【００２６】
この状態で、遊技者が遊技を再開すると、発射モータ１が作動し、発射モータカム２は停止位置から正転を再開する。更に発射モータカム２が正転し、その回転角度が発射位置Ｐ３　を超えると、該発射モータカム２と槌３のローラ５との当接が解放され、引張りばね６の弾性復元力によって槌３が時計回りに急速に弾発回動し、発射レール４に待機している遊技球Ｒが打たれる。なお、発射装置Ａを、当接開始位置Ｐ１　から球供給準備開始位置Ｐ２　の間で停止させた場合においても、発射モータカム２は、その位置で停止し、遊技の再開時には、その停止位置から発射モータカム２は正転を開始する。
【００２７】
なお、上記実施形態では、ラチェット歯車１５には、その全周に歯部が形成してあるが、ラチェット歯車１５は、発射モータカム２が球供給準備開始位置Ｐ２　から発射位置Ｐ３　の間に位置している状態においてのみ、逆転防止部材Ｅの係合爪１８と係合すれば、「２個打ち」の発生を防止できる。よって、上記した２つの位置の間以外の部分においては、ラチェット歯車１５と、逆転防止部材Ｅの係合爪１８とを係合させる必要はないので、この間の歯部を欠落させられる。この構成によって、発射モータカム２の回転中においてラチェット歯車１５の歯部と逆転防止部材Ｅとの当接による騒音の発生を抑制できる。
【００２８】
また、上記した発射モータは、リサイクル（再利用）される場合がある。このリサイクルの場合には、モータとしての品質は勿論のこと、その外観に関しても、長期間に亘って良好に保つ（外観低下を防止する）必要がある。この課題達成のために、発射モータ１’の全体を箱状をしたプラスチック製のカバー２１で覆うことにより、前記球タンク４２又はタンクレール４３から落下する遊技球が直接に当たるのを防止すると共に、使用中に発射モータ１’　の表面に埃類が付着するのを防止した。
【００２９】
図１３は、発射モータ１’の全体がプラスチック製のカバー２１で覆われた状態の斜視図であり、図１４は、同じく縦断面図であり、図１５は、カバー２１の斜視図であり、図１６は、発射モータ１’とカバー２１との分離状態を下方から見た斜視図である。この発射モータ１’は、直方体状をしていて、その前端面に正方形状のベース板３１が一体に取付けられている。このベース板３１の下辺部には、横方向に沿って所定間隔をおいて、カバー２１の係合爪２２に対して係合する一対の係合孔３２が形成されていると共に、その上辺部の中央には、カバー２１の上板部２３の前面側に形成された開口２４に挿入される突片３３が形成されている。なお、図１６において、３４は、ベース板３１に対して発射モータ１’を取付けるための上下一対のねじ孔を示し、３５は、ベース板３１を遊技盤の裏面側に固定するねじを挿通するために、その四隅に形成されたねじ孔を示し、３６は、モータ軸１’ａを挿通させるためのモータ軸挿通孔を示す。
【００３０】
一方、カバー２１は、前面が開口された箱状であって、その下板部２５には、先端部に前記係合爪２２が形成された一対の弾性片２６が形成されている。そして、カバー２１の背面板部２７から、上下の各板部２３，２５及び両側板部２８に至る部分には、それぞれ複数本のスリット状の放熱孔２９が形成されている。また、カバーの背面板部２７には、その中央部と四隅部との計５箇所に円形の放熱孔３０が設けられている。
【００３１】
そして、ベース板３１を介して発射モータ１’を遊技盤の裏面に装着して、カバー２１の上板部２３の開口２４に発射モータ１’の突片３３を挿入しておいて、前記発射モータ１’に対してカバー２１を後方から押し込むと、一対の弾性片２６の先端の各係合爪２２が、発射モータ１’の各係合孔３２に係合される。これにより、カバー２１の内部に発射モータ１’が収容された形態となって、該発射モータ１’の外側がカバー２１で覆われるので、使用中において、球タンク４２又はタンクレール４３から落下した遊技球が発射モータ１’に直接に当たって擦り傷等が付けられるのが防止されると共に、発射モータ１’の表面に埃類が付着するのも防止できる。更に、カバー２１に多数の放熱孔２９，３０を設けることによって、発射モータ１’の放熱性が良好となって、発射モータ１’の過熱が防止され、発射モータ１’の寿命が長くなると共に、発射モータ１’の表面色が熱により変色されるのが防止される。これにより、モータ１’の表面を長期間に亘って新品の状態に維持できて、リサイクルし易くなる。なお、図１４において、３７は、発射モータ１’のベース板３１を遊技盤裏面の被取付部材３８に取付けているビスを示す。
【００３２】
また、発射モータを制御する発射制御基板を発射モータの近傍に配置して、この発射制御基板を発射モータと一緒にして一つのカバーで覆うようにすれば、発射制御基板の保護も同時に可能となる。
【００３３】
また、カバー２１を不透明な材質、例えば有色不透明のプラスチックで製作すれば、自然光、或いは室内の蛍光灯光が遮光されるため、カバー２１内の発射モータ１’及び発射制御基板の退色、日焼け等も防止できて、一層リサイクルし易くなる。
【００３４】
また、上記実施形態の発射装置Ａの発射駆動手段は、モータであるが、ソレノイド、或いはロータリーソレノイドである場合でも、全く同様にして、その外側をカバーで覆うと、落下遊技球が当たったり、塵類が付着堆積するのを抑制できて、長期間に亘って、その表面を新品の状態に維持できる。
【００３５】
【発明の効果】
本発明によれば、発射装置を構成する発射駆動手段の表面は、カバーによって、少なくともその上面及び両側面が覆われているために、発射駆動手段の表面は、落下遊技球から保護されて、擦り傷等が付けられなくなると共に、室内の塵類が付着して堆積するのを抑制できる。よって、発射駆動手段のリサイクル時においても、その表面は、新品同様の外観を有していて、その見栄えがよいので、リサイクルし易くなる。。
【図面の簡単な説明】
【図１】遊技機を構成する発射装置Ａ及び球供給装置Ｂの正面図である。
【図２】遊技機を背面側から見た全体斜視図である。
【図３】遊技機を構成する発射装置Ａ及び球供給装置Ｂを背面側から見た斜視図である。
【図４】同様の部分を背面側の異なる方向から見た斜視図である。
【図５】発射モータ１のベース板１ｂに逆転防止部材Ｅが取付けられた状態を示す斜視図である。
【図６】発射モータカム２が基準位置Ｐ０　に位置している状態の発射装置Ａ及び球供給装置Ｂの背面図である。
【図７】発射モータカム２が球供給準備開始位置Ｐ２　に位置している状態の発射装置Ａ及び球供給装置Ｂの背面図である。
【図８】発射モータカム２が発射位置Ｐ３　に位置している状態の発射装置Ａ及び球供給装置Ｂの背面図である。
【図９】発射モータカム２が逆転して無用球供給開始位置Ｐ４　に位置している状態の発射装置Ａ及び球供給装置Ｂの背面図である。
【図１０】無用球が供給されて「２個打ち」が発生する範囲において発射モータカム２の逆転が防止されている状態を示す発射装置Ａ及び球供給装置Ｂの背面図である。
【図１１】（イ），（ロ）は、それぞれ球供給片９の球受け部９ｃに球Ｒ’が保持されている状態、及び球受け部９ｃが上昇して、球Ｒ’が発射レール４に供給される状態を示す図である。
【図１２】発射モータカム２の回転角度に応じて発生する異なる状態を示す図である。
【図１３】発射モータ１’の全体がプラスチック製のカバー２１で覆われた状態の斜視図である。
【図１４】同じく縦断面図である。
【図１５】カバー２１の斜視図である。
【図１６】発射モータ１’とカバー２１との分離状態を下方から見た斜視図である。
【符号の説明】
Ａ：発射装置
Ｒ：遊技球
１，１’：発射モータ（発射駆動手段）
２１：カバー
２９，３０：放熱孔
【図１】
2004057796.tif 000003
【図２】
2004057796.tif 000004
【図３】
2004057796.tif 000005
【図４】
2004057796.tif 000006
【図５】
2004057796.tif 000007
【図６】
2004057796.tif 000008
【図７】
2004057796.tif 000009
【図８】
2004057796.tif 000010
【図９】
2004057796.tif 000011
【図１０】
2004057796.tif 000012
【図１１】
2004057796.tif 000013
【図１２】
2004057796.tif 000014
【図１３】
2004057796.tif 000015
【図１４】
2004057796.tif 000016
【図１５】
2004057796.tif 000017
【図１６】
2004057796.tif 000018